(57)【要約】【課題】不正行為を有効に抑止することを可能にしつつ、その場合であっても遊技場の円滑な運営が妨げられてしまうことがないようにする。【解決手段】第１の電気部品１２と、前記第１の電気部品１２と電気的に接続する第２の電気部品２０と、前記第１の電気部品１２と前記第２の電気部品２０との間の接続状態を監視し、所定動作時における非接続状態への移行は許容するが、当該所定動作時以外に非接続状態になると異常が発生したと判断する制御手段２２と、を備えて遊技媒体処理装置１０を構成する。【選択図】図１
2009165620.tif 000002
【特許請求の範囲】
【請求項１】
第１の電気部品と、
前記第１の電気部品と電気的に接続する第２の電気部品と、
前記第１の電気部品と前記第２の電気部品との間の接続状態を監視し、所定動作時における非接続状態への移行は許容するが、当該所定動作時以外に非接続状態になると異常が発生したと判断する制御手段と
を備えることを特徴とする遊技媒体処理装置。
【請求項２】
前記第１の電気部品は、遊技媒体の検出を行う検出手段としての機能を有し、
前記第２の電気部品は、前記検出手段による検出結果を基に前記遊技媒体の計数を行う計数手段としての機能を有する
ことを特徴とする請求項１記載の遊技媒体処理装置。
【請求項３】
動作モードを設定するための設定手段を備えるとともに、
前記制御手段は、前記設定手段でメンテナンスモードが設定されると、当該メンテナンスモードの設定期間中を前記所定動作時とする
ことを特徴とする請求項１または２記載の遊技媒体処理装置。
【請求項４】
前記設定手段は、所定条件を満たす場合のみ前記メンテナンスモードを設定し得るように構成されている
ことを特徴とする請求項３記載の遊技媒体処理装置。
【請求項５】
異常発生状態からの復帰を指示するための操作手段を備えるとともに、
前記制御手段は、異常が発生したと判断すると、前記操作手段からの復帰指示があるまでは、前記第１の電気部品と前記第２の電気部品との少なくとも一方における機能を無効とする
ことを特徴とする請求項１から４のいずれか１項に記載の遊技媒体処理装置。
【発明の詳細な説明】
【技術分野】
【０００１】
本発明は、パチンコ玉やメダル等といった遊技媒体を取り扱う遊技媒体処理装置に関する。
【背景技術】
【０００２】
一般に、遊技媒体を取り扱う遊技媒体処理装置としては、遊技媒体を使用した遊技を遊技者に行わせる遊技機、遊技者への遊技媒体の貸し出しを行う遊技媒体貸出機、遊技媒体の回収および計数を行う遊技媒体計数機、遊技機または遊技媒体貸出機への遊技媒体の補給を行う遊技媒体補給装置等が広く知られている。これらの遊技媒体処理装置は、いずれも、互いに電気的に接続された複数の電気部品を備えて構成されており、各電気部品が通信（所定信号の授受等）を行うことで、各種所定処理動作を行うようになっている。
【０００３】
ところで、遊技媒体処理装置については、不正行為を有効に抑止し得ることが求められている。このことから、遊技媒体処理装置の中には、電気部品の一例であるメイン基板が外されると、エラー報知を行ったり、遊技を停止することで、不正行為を抑止するように構成されたものがある（例えば、特許文献１参照。）。
【０００４】
【特許文献１】特開２００７−１６７２５３号公報
【発明の開示】
【発明が解決しようとする課題】
【０００５】
しかしながら、遊技媒体処理装置においては、当該遊技媒体処理装置を構成する電気部品に発生した故障等のトラブルを解決するために、当該トラブルの発生要因となった電気部品を正常なものと交換するといったことが起こり得るが、その場合にも電気部品の取り外しに応じてエラー報知等を行うと、却って遊技場の円滑な運営が妨げられてしまうおそれがある。
【０００６】
そこで、本発明は、不正行為を有効に抑止することを可能にしつつ、その場合であっても遊技場の円滑な運営が妨げられてしまうことのない遊技媒体処理装置を提供することを目的とする。
【課題を解決するための手段】
【０００７】
本発明は、上記目的を達成するために案出された遊技媒体処理装置である。
請求項１に係る発明は、第１の電気部品と、前記第１の電気部品と電気的に接続する第２の電気部品と、前記第１の電気部品と前記第２の電気部品との間の接続状態を監視し、所定動作時における非接続状態への移行は許容するが、当該所定動作時以外に非接続状態になると異常が発生したと判断する制御手段とを備えることを特徴とする遊技媒体処理装置である。
【０００８】
上記構成の遊技媒体処理装置では、所定動作時以外に第１の電気部品と第２の電気部品との間が非接続状態になると異常が発生したと判断するので、当該電気部品が不正に交換等されてしまうのを抑止し得るようになる。なお、所定動作時以外としては、例えば装置稼動中が挙げられる。その一方で、所定動作時における非接続状態への移行は許容されるので、当該所定動作時であれば電気部品の正当な交換等を行い得るようになる。なお、所定動作時としては、例えば装置が非稼動状態にあるメンテナンス作業時が挙げられる。
【０００９】
請求項２に係る発明は、前記第１の電気部品が、遊技媒体の検出を行う検出手段としての機能を有し、前記第２の電気部品が、前記検出手段による検出結果を基に前記遊技媒体の計数を行う計数手段としての機能を有することを特徴とする請求項１記載の遊技媒体処理装置である。
【００１０】
上記構成の遊技媒体処理装置では、遊技媒体の計数機能を実現する場合において、その計数結果についての不正行為を有効に抑止し得るようになる。しかも、その計数結果が検出手段による検出結果を基にしたものであっても、所定動作時であれば当該検出手段について定期的なメンテナンス作業等を正当に行い得るので、当該検出手段における検出精度を所定基準以上に維持することが実現容易となる。
【００１１】
請求項３に係る発明は、動作モードを設定するための設定手段を備えるとともに、前記制御手段は、前記設定手段でメンテナンスモードが設定されると、当該メンテナンスモードの設定期間中を前記所定動作時とすることを特徴とする請求項１または２記載の遊技媒体処理装置である。
【００１２】
上記構成の遊技媒体処理装置では、所定動作時と当該所定動作時以外とをモード設定によって人為的に切り換えることが可能となるので、装置利用者、特にメンテナンス作業等を行う作業者にとっての利便性が向上することになる。
【００１３】
請求項４に係る発明は、前記設定手段が、所定条件を満たす場合のみ前記メンテナンスモードを設定し得るように構成されていることを特徴とする請求項３記載の遊技媒体処理装置である。
【００１４】
上記構成の遊技媒体処理装置では、モード設定の切り換えにあたり、行為者の認証等を要するといったように所定条件を満たすことが要求されるので、利便性の向上を図りつつセキュリティも十分に確保されることになり、不正行為を有効に抑止する上で非常に好ましいものとなる。
【００１５】
請求項５に係る発明は、異常発生状態からの復帰を指示するための操作手段を備えるとともに、前記制御手段は、異常が発生したと判断すると、前記操作手段からの復帰指示があるまでは、前記第１の電気部品と前記第２の電気部品との少なくとも一方における機能を無効とすることを特徴とする請求項１から４のいずれか１項に記載の遊技媒体処理装置である。
【００１６】
上記構成の遊技媒体処理装置では、制御手段により異常が発生した旨の判断があると、その後は、操作手段からの復帰指示があった場合にのみ、第１の電気部品または第２の電気部品における機能が有効となる。したがって、異常の発生後に第１の電気部品と第２の電気部品との間の接続状態が回復しても、正当な指示である操作手段からの復帰指示があるまでは、第１の電気部品または第２の電気部品における機能が有効にはならないので、不正行為を有効に抑止する上で非常に好ましいものとなる。
【発明の効果】
【００１７】
本発明によれば、例えば第１の電気部品または第２の電気部品の取り外しがあり、これらの間が非接続状態になると、所定動作時を除き、異常が発生したと判断するので、不正行為を有効に抑止することが可能になる。一方、その場合であっても、例えばメンテナンス作業時といった所定動作時であれば、非接続状態への移行は許容されるので、異常が発生したと判断されることなく、電気部品の正当な交換等を行い得るようになる。したがって、当該所定動作時の行為によって、遊技場の円滑な運営が妨げられてしまうのを、未然に回避し得るようになる。
【発明を実施するための最良の形態】
【００１８】
以下、図面に基づき本発明に係る遊技媒体処理装置について説明する。
【００１９】
ここでは、遊技媒体処理装置がメダル計数装置である場合、すなわち本発明をメダル計数装置に適用した場合を、例に挙げて説明する。なお、メダル計数装置とは、遊技機の一例であるパチスロ機におけるメダル払出機構、遊技媒体貸出機の一例であるメダル貸出機におけるメダル払出機構、遊技媒体計数機の一例であり島端等に配設されて用いられるメダル計数機、または、遊技媒体補給装置の一例でありパチスロ機若しくはメダル貸出機へのメダルの補給を行うメダル補給装置等に搭載されて用いられるもので、遊技媒体の一例であるメダルの計数を行うものである。
【００２０】
図１は、本発明に係るメダル計数装置の概略構成例を示す機能ブロック図である。
図例のように、メダル計数装置１０は、計数テーブル駆動モータ１１と、計数センサ１２と、表示機１３と、ＩＣカードリーダライタ（以下、リーダライタを「Ｒ／Ｗ」と略す。）１４と、キースイッチ１５と、動作スイッチ１６と、制御部１７と、を備えて構成されている。
【００２１】
計数テーブル駆動モータ１１は、メダル払出機構等に設けられた計数テーブルを駆動して、当該計数テーブルに計数対象となるメダルを一枚ずつ順に繰り出させるためのものである。
【００２２】
計数センサ１２は、近接センサやフォトセンサ等からなるもので、計数対象となるメダルの検出を行うものである。さらに詳しくは、計数テーブルによって一枚ずつ順に繰り出されるメダルの通過有無を検出し、例えば通過検出時にはオン（ハイレベル）、非検出時にはオフ（ローレベル）といったパルス信号を出力するものである。すなわち、計数センサ１２は、本発明における検出手段としての機能を有するものであり、本発明における第１の電気部品の一具体例に相当するものである。なお、ここで挙げた検出／非検出と信号レベルとの対応関係は一例に過ぎず、これに限定されるものでないことは勿論である。また、計数センサ１２は、詳細を後述する制御部１７と、これらの間での信号授受を可能にする通信線（ただし不図示）を介して、電気的に接続されているものとする。
【００２３】
表示機１３は、必要に応じて各種情報の表示出力を行うものである。具体的には、メンテナンス作業等のガイダンス情報の表示出力や異常発生時のアラーム出力等を行うことが考えられる。
【００２４】
ＩＣカードＲ／Ｗ１４は、当該ＩＣカードＲ／Ｗ１４に挿入されたＩＣカードからの情報読み出しおよび当該ＩＣカードへの情報書き込みを行うものである。
また、キースイッチ１５は、所定キーの挿入があった場合に、スイッチ操作が可能となるものである。
これらＩＣカードＲ／Ｗ１４およびキースイッチ１５は、例えばメダル計数装置１０のメンテナンスを行う作業者が操作等をするもので、当該操作等によって当該メダル計数装置１０の動作モードを設定するためのものである。メダル計数装置１０の動作モードについては、詳細を後述するが、少なくとも装置メンテナンス作業を行うためのメンテナンスモードが設定可能であるものとする。このようなモード設定を行うＩＣカードＲ／Ｗ１４およびキースイッチ１５は、本発明における設定手段の一具体例に相当するものである。ただし、モード設定が可能であれば、必ずしもＩＣカードＲ／Ｗ１４とキースイッチ１５との両方を備える必要はなく、いずれか一方のみを備えたり、あるいは他のモード設定手段を備えたりしても構わない。
【００２５】
動作スイッチ１６は、メダル計数装置１０の計数の開始や終了、遊技場の店員の呼出等に主として使われるが、キースイッチ１５と同様に、例えばメダル計数装置１０のメンテナンスを行う際に作業者が操作をすることもある。その場合（メンテナンスを行う際に操作される場合）に、動作スイッチ１６は、主として、当該メダル計数装置１０の異常発生状態からの復帰を指示するために操作されるようになっている。すなわち、動作スイッチ１６は、本発明における操作手段の一具体例に相当するものである。
【００２６】
制御部１７は、メダル計数装置１０の動作制御を行うためのもので、具体的には所定プログラムを実行するＣＰＵ（Central Processing Unit）２０を搭載した電子基板（メイン基板）ユニットによって実現されるものである。また、制御部１７におけるＣＰＵ２０では、所定プログラムを実行することによって、計数手段２１および制御手段２２として機能するようになっている。
計数手段２１は、計数センサ１２による検出結果を基に、計数テーブルから繰り出されたメダルの計数を行うものである。具体的には、例えば、計数センサ１２から出力されるパルス信号に基づいて、カウンタをインクリメントしながら、当該計数センサ１２が検出したメダルを計数するといったように、公知技術を利用して当該メダルの計数を行うようになっている。すなわち、ＣＰＵ２０は、計数手段２１としての機能を有するものであり、本発明における第２の電気部品の一具体例に相当するものである。
一方、制御手段２２は、第１の電気部品の一具体例である計数センサ１２と、第２の電気部品の一具体例であるＣＰＵ２０とについて、これらの間の電気的な接続状態の監視を行うものである。つまり、制御手段２２では、計数センサ１２とＣＰＵ２０との接続状態を監視して、これらの間が電気的に接続されているか否かを判断するようになっている。この接続状態の監視および判断については、公知技術を利用して行えばよいため、ここではその詳細な説明を省略する。また、制御手段２２では、計数センサ１２とＣＰＵ２０との間の接続状態を監視しつつ、所定動作時における非接続状態への移行は許容するが、当該所定動作時以外に非接続状態になると異常が発生したと判断するようになっている。所定動作時としては、例えばメダル計数装置１０が非稼動状態にあるメンテナンス作業時が挙げられる。
なお、制御部１７は、メダル計数装置１０の上位機となる管理サーバ等が存在する場合には、当該管理サーバ等と通信可能に接続しており、当該管理サーバ等との間で各種情報（メダル計数結果に関する情報や異常発生状態に関する情報等。）の授受を行い得るようになっている。
【００２７】
ここで、上述した構成のメダル計数装置１０にて対応可能な動作モードについて、具体例を挙げて説明する。
図２は、本発明に係るメダル計数装置にて対応可能な動作モードの具体例を示す説明図である。
図例のように、メダル計数装置１０にて対応可能な動作モードとしては、営業モード３１と、集計モード３２と、集計クリアモード３３と、メンテナンスモード３４と、がある。
【００２８】
営業モード３１は、遊技場の営業時間内、すなわちメダル計数装置１０の稼動時間内に、当該メダル計数装置１０が対応するモードである。営業モード３１が設定されている場合に、メダル計数装置１０における制御部１７では、主として、メダルの計数３１ａや遊技場の店員呼出３１ｂ等といった処理動作を行うことになる。なお、この営業モード３１の設定中は、遊技場の店員（ホール店員）またはパチスロ機を利用する遊技者（一般ユーザ）が、メダル計数装置１０を操作することになる。
集計モード３２は、遊技場の営業時間外にメダル計数装置１０が対応するモードである。集計モード３２が設定されている場合に、メダル計数装置１０における制御部１７では、主として、メダル計数結果の集計データの管理サーバ等への送出３２ａや、装置稼動の履歴に関するデータの管理サーバ等への送出３２ｂや、予め設定された特殊操作３２ｃ等といった処理動作を行うことになる。なお、この集計モード３２の設定中は、ホール店員がメダル計数装置１０を操作することになる。
集計クリアモード３３は、集計モード３２と同様に、遊技場の営業時間外にメダル計数装置１０が対応するモードであり、集計モード３２で得た集計結果に関するデータ等のクリア（削除）等を行うためのものである。この集計クリアモード３３の設定中も、集計モード３２と同様に、ホール店員がメダル計数装置１０を操作することになる。
メンテナンスモード３４は、メダル計数装置１０に対するメンテナンス作業を行うためのモードである。このメンテナンスモード３４が設定されている場合に、メダル計数装置１０における制御部１７では、主として、各種電気部品の接続状態確認３４ａや、各種設定の変更３４ｂ等といった処理動作を行うことになる。このメンテナンスモード３４の設定中は、メンテナンス作業を行う作業者（例えば、メダル計数装置１０の製造メーカのサービスマン）がメダル計数装置１０を操作することになる。
【００２９】
なお、以上のような各動作モードのうち、営業モード３１、集計モード３２および集計クリアモード３３の設定中は、後述するように、計数センサ１２の脱着、すなわち計数センサ１２とＣＰＵ２０との間の非接続状態への移行が許容されずに、異常が発生したと判断されるようになっている。一方、メンテナンスモード３４の設定中については、メンテナンス作業によって計数センサ１２が脱着されることも考えられるので、当該計数センサ１２の脱着、すなわち計数センサ１２とＣＰＵ２０との間の非接続状態への移行が許容されることになる。
つまり、メンテナンスモード３４の設定期間中は、本発明における所定動作時の一具体例に相当することになる。また、営業モード３１、集計モード３２および集計クリアモード３３の設定期間中については、本発明における所定動作時以外の具体例に相当することになる。
【００３０】
次に、以上のようなメダル計数装置１０における処理動作例を説明する。
図３は、本発明に係るメダル計数装置における処理動作例を示すフローチャートである。
【００３１】
メダル計数装置１０では、上述したように、営業モード３１、集計モード３２、集計クリアモード３３またはメンテナンスモード３４の各動作モードに選択的に対応し得るようになっている。そして、これらの各動作モードの切り換えについては、例えばＩＣカードＲ／Ｗ１４およびキースイッチ１５を利用して、人為的に行うことが可能である。つまり、メダル計数装置１０には、モード設定手段としての機能が設けられているため、各動作モードの切り換え、さらに詳しくは所定動作時（すなわち、メンテナンスモード３４の設定期間中。）と当該所定動作時以外（すなわち、営業モード３１、集計モード３２または集計クリアモード３３の設定期間中。）とをモード設定によって人為的に切り換えることが可能である。したがって、メダル計数装置１０の利用者、特にメンテナンス作業等を行う作業者にとっては、利便性が向上することになる。
【００３２】
ただし、メンテナンスモード３４については、所定条件を満たす場合のみ（ステップ１０１、以下ステップを「Ｓ」と略す。）、その設定を行い得るようになっている（Ｓ１０２）。すなわち、所定条件を満たさなければ、営業モード３１、集計モード３２または集計クリアモード３３からメンテナンスモード３４への切り換えを行うことはできない。メンテナンスモード３４時には、計数センサ１２とＣＰＵ２０との間の非接続状態への移行が許容されることになるからである。具体的には、メンテナンスモード３４への切り換えを行おうとする者がＩＣカードＲ／Ｗ１４に挿入したＩＣカードからの読み取り情報の内容や、キースイッチ１５でのスイッチ操作の可否の結果等に基づき、その者が正当なメンテナンス作業を行う作業者（例えば、メダル計数装置１０の製造メーカのサービスマン）であることを確認できたら、制御部１７は、メンテナンスモード３４の設定、すなわち他モードからメンテナンスモード３４への切り換えを行うことを許可する。
【００３３】
このように、メダル計数装置１０では、モード設定の切り換え、特にメンテナンスモード３４への切り換えにあたり、行為者の認証等を要するといったように所定条件を満たすことが要求されるので、一般ユーザは勿論、ホール店員であっても当該切り換えを行うことができないことになり、利便性の向上を図りつつセキュリティも十分に確保され、その結果として不正行為を有効に抑止する上で非常に好ましいものとなる。
【００３４】
また、メダル計数装置１０では、いずれの動作モードが設定されている場合であっても、制御部１７のＣＰＵ２０が実現する制御手段２２としての機能が、計数センサ１２と当該ＣＰＵ２０との間の接続状態を監視しており、これらの間が電気的に接続されているか否かを判断する（Ｓ１０３）。そして、これらの間について、非接続状態への移行があった場合には、続いて、メンテナンスモード３４の設定期間中であるか否か、すなわち所定動作時であるか否かを判断する（Ｓ１０４）。
【００３５】
その結果、メンテナンスモード３４の設定期間中であれば非接続状態への移行を許容するが、メンテナンスモード３４の設定期間中ではなく、所定動作時以外に相当する場合であれば、制御部１７のＣＰＵ２０が実現する制御手段２２としての機能は、所定動作時以外に非接続状態になったので、計数センサ１２とＣＰＵ２０との間の接続状態について異常が発生したと判断してアラーム出力を行う（Ｓ１０５）。アラーム出力としては、表示機１３を利用して行うものであってもよいし、管理サーバ等に対してその旨の情報を送信して行うものであってもよい。さらに、制御手段２２としての機能は、アラーム出力を行うのに加えて、それ以降の計数センサ１２に基づく計数動作の利用を停止する。すなわち、当該計数動作につき停止状態化して、計数センサ１２に基づく計数を無効化する（Ｓ１０６）。さらにまた、アラーム出力および計数無効化を行った場合には、その旨の履歴情報を作成して、その履歴情報をメダル計数装置１０内または管理サーバ内の所定記憶領域に記憶蓄積させるようにすることも考えられる。
【００３６】
このように、メダル計数装置１０では、所定動作時以外に計数センサ１２とＣＰＵ２０との間が非接続状態になると、異常が発生したと判断するので、当該計数センサ１２が不正に交換等されてしまうのを抑止し得るようになる。すなわち、当該計数センサ１２を用いてメダルの計数機能を実現する場合において、その計数結果についての不正行為を有効に抑止することが実現可能となる。その一方で、所定動作時における非接続状態への移行は許容されるので、当該所定動作時、すなわちメンテナンスモード３４の設定期間中であれば、当該計数センサ１２の正当な交換等を行い得るようになる。したがって、当該計数センサ１２について定期的なメンテナンス作業等を正当に行い得ることになり、当該計数センサ１２における検出精度を所定基準以上に維持することが実現容易となる。
【００３７】
ところで、上述したようなアラーム出力を行い計数動作の停止状態化をした後、メダル計数装置１０では、そのアラーム出力に応じて手配されたメンテナンス作業の正当な作業者（例えば、メダル計数装置１０の製造メーカのサービスマン）がメンテナンスモード３４への切り換えを行い（Ｓ１０１，Ｓ１０２）、さらにそのメンテナンスモード３４の設定期間中に（Ｓ１０４）当該メダル計数装置１０の各所、特に計数センサ１２の接続状態についての点検を行う。そして、その点検の結果、特に問題がない場合、または問題があっても当該問題の解決を図る作業等が完了した場合には、当該作業者によって、動作スイッチ１６の操作がされることになる。
【００３８】
このような動作スイッチ１６での所定操作があると（Ｓ１０７）、メダル計数装置１０では、制御部１７のＣＰＵ２０が実現する制御手段２２としての機能が、計数動作につき停止状態化して無効化したものを、有効な状態に戻すようにする（Ｓ１０８）。つまり、制御手段２２としての機能は、異常が発生したと判断すると、動作スイッチ１６での所定操作による復帰指示があるまでは、計数センサ１２とＣＰＵ２０との少なくとも一方における機能、具体的にはメダルの計数機能を無効化するが、その後、動作スイッチ１６での所定操作による復帰指示があると当該計数機能を有効化して、再び計数センサ１２での検出結果に基づくメダルの計数を行い得るようにするのである。
【００３９】
つまり、メダル計数装置１０では、制御手段２２により異常が発生した旨の判断があると、その後は、動作スイッチ１６での所定操作による復帰指示があった場合にのみ、計数センサ１２での検出結果に基づくメダルの計数機能が有効となる。したがって、異常の発生後に計数センサ１２とＣＰＵ２０との間の接続状態が回復しても、正当な指示である動作スイッチ１６からの復帰指示があるまでは、計数センサ１２での検出結果に基づくメダルの計数機能が有効にはならないので、不正行為を有効に抑止する上で非常に好ましいものとなる。
【００４０】
以上に説明したように、本実施形態におけるメダル計数装置１０によれば、例えば第１の電気部品の一具体例である計数センサ１２または第２の電気部品の一具体例であるＣＰＵ２０の取り外しがあり、これらの間が非接続状態になると、所定動作時を除き、異常が発生したと判断するので、不正行為を有効に抑止することが可能になる。一方、その場合であっても、例えばメンテナンスモード３４の設定期間中といった所定動作時であれば、非接続状態への移行は許容されるので、異常が発生したと判断されることなく、計数センサ１２またはＣＰＵ２０といった電気部品の正当な交換等を行い得るようになる。したがって、当該所定動作時の行為によって、遊技場の円滑な運営が妨げられてしまうのを、未然に回避し得るようになる。
【００４１】
なお、本実施形態では、本発明の好適な実施具体例について説明したが、本発明はその内容に限定されるものではない。
例えば、本実施形態では、第１の電気部品が計数センサ１２であり、第２の電気部品がＣＰＵ２０である場合を例に挙げて説明したが、他のハーネス、電子基板、電気部品等についても、本発明を全く同様に適用することが考えられる。すなわち、第１の電気部品および第２の電気部品は、必ずしも検出手段としての機能を有するものや計数手段としての機能を有するもの等に限定されることはない。また、第１の電気部品および第２の電気部品は、必ずしも単一品である必要はなく、それぞれが複数存在していても構わない。
また、例えば、本実施形態では、本発明をメダル計数装置に適用した場合を例に挙げて説明したが、パチンコ玉等の他の遊技媒体について計数を行う遊技媒体計数装置であっても、全く同様に本発明を適用することが可能である。さらには、遊技媒体の計数を行うものに限定されることはなく、計数以外の処理を行う遊技媒体処理装置であっても、全く同様に本発明を適用することが可能である。
つまり、本発明は、本実施形態で説明した内容に限定されるものではなく、その要旨を逸脱しない範囲で変更することが可能である。
【図面の簡単な説明】
【００４２】
【図１】本発明に係るメダル計数装置の概略構成例を示す機能ブロック図である。
【図２】本発明に係るメダル計数装置にて対応可能な動作モードの具体例を示す説明図である。
【図３】本発明に係るメダル計数装置における処理動作例を示すフローチャートである。
【符号の説明】
【００４３】
１０…メダル計数装置、１１…計数テーブル駆動モータ、１２…計数センサ、１３…表示機、１４…ＩＣカードＲ／Ｗ、１５…キースイッチ、１６…動作スイッチ、１７…制御部、２０…ＣＰＵ、２１…計数手段、２２…制御手段、３１…営業モード、３２…集計モード、３３…集計クリアモード、３４…メンテナンスモード
【図１】
2009165620.tif 000003
【図２】
2009165620.tif 000004
【図３】
2009165620.tif 000005